(57)【要約】【課題】一対のコリメ−タレンズに挟持された誘電体多層膜フィルタ素子を有する光部品における反射減衰量およびリップルを低減し、光部品の小型化を可能とする誘電体多層膜フィルタ素子を提供する。【解決手段】誘電体多層膜フィルタ素子４において、光軸に対して傾斜した第一端面とこれに平行な第二端面を有することにより、第一端面においては、反射光が光軸と異なる角度となり、反射減衰量が低減できる。また、第二端面にあっては、一次透過光と２次以降の高次透過光の出射位置が異なり、かつ２次以降の高次透過光はＡＲコ−トによる減衰をうけるので、干渉の発生が抑制され、リップルの振幅を低減できる。また、コリメ−タレンズ３，５とフィルタ素子４をほぼ直線上に配置できるので、光学部品の小型化が可能となる。【選択図】図４
2004252148.tif 000002
【特許請求の範囲】
【請求項１】
外形が六面体状の誘電体多層膜フィルタ素子であって、誘電体多層膜が設けられた第一端面およびこれに平行な第二端面が、光軸の方向に対して所定の角度傾斜していることを特徴とする誘電体多層膜フィルタ素子。
【請求項２】
請求項１記載の誘電体多層膜フィルタ素子において、誘電体多層膜が形成された第一端面に対向する第二端面に、反射防止コートが施されたことを特徴とする誘電体多層膜フィルタ素子。
【請求項３】
誘電体多層膜フィルタ素子の製造方法において、誘電体多層膜を形成したフィルタ基板を切断方向に対して所定の角度傾斜させて切断することを特徴とする誘電体多層膜フィルタ素子の製造方法。
【請求項４】
請求項１または、請求項２の誘電体多層膜フィルタ素子と、一対のコリメ−タレンズおよび光ファイバ保持部材とを備えた光部品であって、前記一対のコリメ−タレンズの間に前記誘電体多層膜フィルタが狭持されたことを特徴とする光部品。
【請求項５】
請求項４記載の光部品において、誘電体多層膜フィルタといずれか一方のコリメ−タレンズの間に、光学素子が狭持されたことを特徴とする光部品。
【発明の詳細な説明】
【０００１】
【発明の属する技術分野】
この発明は、光通信において使用される光増幅器や光分波合波器の部品として使用される誘電体多層膜フィルタ素子およびこれを用いた誘電体多層膜フィルタ型光部品に関するものである。
【０００２】
【従来の技術】
誘電体多層膜型フィルタは、光増幅器や光分波合波器等の光通信用機器において、波長選択素子などとして用いられているものであり、所定の厚さを有するガラス等でできたフィルタ基板の一面あるいは両面に、蒸着等の方法により誘電体多層膜を形成したものである。誘電体多層膜フィルタの所定の波長における透過率あるいは反射率は、膜材料の屈折率、厚さ、層数を調整することにより所定の値に設計することができる。
【０００３】
ところで、光増幅器においては、増幅媒体であるエルビウムド−プ光ファイバ（以下、「ＥＤＦ」と略す。）の利得に波長依存性があり、光波長多重通信において利用される１５３０ｎｍ〜１５７０ｎｍの波長帯においては、増幅後に各信号波長における光出力を等しくするために利得等化器（Ｇａｉｎ  Ｆｌａｔｔｅｎｉｎｇ  Ｆｉｌｔｅｒ、以下「ＧＦＦ」と略す）が必要となる。
【０００４】
誘電体多層膜フィルタは、広い波長域に渡って、各波長の透過率を所定の値に設計できるため、ＧＦＦにおける利得等化素子として用いられている。すなわち、誘電体多層膜フィルタの各波長における透過率を、ＥＤＦの利得曲線と逆特性にすることにより、信号波長毎の光信号強度の変動を相殺し、前記の波長領域全域に渡って平滑化された均一な光信号強度を得ることができる。
【０００５】
図１１は、従来使用されているＧＦＦの構造の一例を示すものである。図１１（ａ）はＧＦＦの平面図であり、図１１（ｂ）は側面図である。図１１において、符号１は第一の光ファイバ、符号２は第一の光ファイバを固定する第一の光ファイバ保持部材、符号３は第一のコリメ−タレンズ、符号４は誘電体多層膜フィルタ素子、符号５は、第二のコリメ−タレンズ、符号６は第二の光ファイバを保持する第二の光ファイバ保持部材、符号７は第二の光ファイバである。
【０００６】
符号８は、これらを収容する筐体である。光ファイバ保持部材２および６、コリメ−タレンズ３および５、誘電体多層膜フィルタ素子４は、良好な特性が得られるように光軸を調整された後、接着剤で固定され、筐体８に収容されている。また、図１２は図１１において使用されるフィルタ素子４の構造の一例を示すものである。図１２において、符号４ａは、フィルタ基板、符号４ｂは誘電体多層膜、符号４ｃはフィルタ基板４ａの第一端面、符号４ｄはフィルタ基板４ａの第二端面、符号４ｅは反射防止（Ａｎｔｉ  Ｒｅｆｌｅｃｔｉｏｎ）コ−ト（以下、「ＡＲコ−ト」と略す。）、符号４ｆはフィルタ素子の光軸である。
【０００７】
この例におけるフィルタ素子４は、直方体の一端面が斜めに切取られた楔型であり、光軸４ｆにおいて、入射光が最初に透過する第一端面４ｃに誘電体多層膜が形成されている。また、第一端面に対向し、入射光がフィルタ素子を出射する第二端面４ｄは、第一端面に対して傾斜しており、その上に、ＡＲコ−ト４ｅが施されている。
【０００８】
前記フィルタ素子４を用いたＧＦＦにおいては、ＥＤＦにより増幅された光信号は、第一の光ファイバ１から出射し、第１のコリメ−タレンズ３によって平行光線となり、誘電体多層膜フィルタ素子４に入射する。誘電体多層膜フィルタ素子４を出射した光線は、第二のコリメ−タレンズ５に入射し、第２の光ファイバ７に集光される。誘電体多層膜フィルタ素子４は、所定の波長の光線を所定の透過率により透過させる。
【０００９】
光増幅器に使用されるＧＦＦにおいては、このように、２つの単芯コリメータ間に誘電体多層膜フィルタ素子４（以後、フィルタ素子と略す）を挟み込んだ構造が一般的であり、その構造は、特願２００２−２０５６９７号において開示されている。
【００１０】
ところで、このように、フィルタ素子として外形が直方体状のものを用い、第一端面４ｃに誘電体多層膜を施した構造のものでは、第一端面４ｃから入射した光線が直接第二端面４ｄから出射する場合と、入射光の一部が第二端面４ｄで反射され、フィルタ基板４ａ内部で複数回反射した後、第二端面４ｄから出射する場合が生じ、前者を一次透過光、後者を高次透過光と呼ぶ。高次透過光の次数は内部反射の回数に従って増加する。
【００１１】
前記一次透過光と高次透過光がコリメ−タレンズにより集光され、重畳されると干渉縞が発生し、この干渉縞はリップルと呼ばれる。
【００１２】
前記リップルは、入射光が誘電体多層膜フィルタを透過して利得平坦化された後に発生するものであるが、このリップルにより利得平坦度が劣化することにより、信号波長の間隔がたとえば、１０ｎｍ以下であるような光波長多重通信においては、各信号波長間で光強度が変動し好ましくない影響を与える。
【００１３】
この干渉によって生ずるリップルの影響を低減させるためには、フィルタ素子の第二端面４ｄの反射率を小さくして２次以降の高次透過光の強度を低くすれば良い。リップルを低減するための手法としては、第二端面４ｄにＡＲコ−トを施す方法が一般的である。
【００１４】
しかしながら、高性能なＡＲコートを施したとしてもその実質的な反射抑制能力は−３０ｄＢ程度であるため、リップルの振幅（最大値−最小値）を目標値とされる０．０１ｄＢ以下とするために必要な−６５ｄＢを達成するためには３５ｄＢ不足する。
【００１５】
そのため従来は、図１２に示すように、フィルタ素子４において第二端面４ｄを傾斜させ、ウェッジ状にして１次透過光と２次以降の高次透過光の光軸、角度をずらして干渉を低減させている。すなわち、２次以降の透過光における第二のコリメ−タレンズ５への結合効率を減らすことにより干渉を抑え、リップルを低減している。
【００１６】
ところで、このようなウェッジを有するフィルタ素子は、以下の工程によって製造される。
工程１：フィルタ基板の一方の面にＡＲコ−トを蒸着等の手法により形成する。ＡＲコ−トは、誘電体多層膜形成時に状況をモニタするため必要である。
工程２：フィルタ基板の他方の面に所定の特性を有する誘電体多層膜フィルタを蒸着等の手法により形成する。
工程３：前記の処理を行ったフィルタ基板を切断用の水平な台座に接着剤などで固定する。
【００１７】
工程４：前記固定したフィルタ基板を、後加工を容易にし、かつ素子寸法をある程度一定とするため、所定の大きさの角型に切断する。
工程５：前記切断した角型フィルタ基板を切断用の台座から取外す。
【００１８】
工程６：台座から取外した角型フィルタ基板の裏面側を所定の角度（たとえぱ０．４°）に、ウェッジ加工する。裏面に施されていたＡＲコ−トはウェッジ加工における研磨工程で除去されてしまう。
工程７：ウェッジ加工した面を鏡面研磨し、その上に再度ＡＲコートを施す。
工程８：素子化するために角型フィルタ基板を切断用の台座に接着剤などを用いて固定する。
工程９：角型フィルタ基板を所定のフィルタ素子の寸法に切断する。
【００１９】
このようなフィルタ素子およびこれを用いた光部品に関する先行技術文献には、例えば本出願人が先に出願している特願２００２−２０５６９７号がある。（平成１４年７月１５日出願）
【００２０】
【発明が解決しようとする課題】
しかしながら、前記のウェッジ加工を施したフィルタ素子にあっては、第一端面において反射した光が再度第一のコリメ−タレンズに入射して、反射減衰量を劣化させることを防ぐため、図１１（ｂ）に示すようにフィルタ素子に対して第二のコリメ−タレンズを傾ける必要があった。
【００２１】
ところが、フィルタ素子とコリメ−タレンズおよびファイバ保持部材が直線上に配置できないことにより、これら光学部品を収容する筐体８の大きさが増加する。ＧＦＦは光増幅器に収納されるが、サイズが大きすぎると光増幅器自体のサイズが大きくなり、また、光増幅器内部の設計の自由度が低くなるというという問題が生じた。前記の理由からＧＦＦには、小型化が求めらているのであり、このように光学部品の寸法を大きくすることは望ましくない。
【００２２】
また、第一のコリメ−タレンズとフィルタ素子においては、反射減衰量を低減するために、第二のコリメ−タレンズとフィルタ素子においては、挿入損失を最低にするために、それぞれ光軸調整作業が必要であり、製造コストが増加するという問題があった。
【００２３】
さらに、ウェッジ状のフィルタ素子製造は、前記のように、ウェッジ加工を行わない場合に比較して、ウェッジ加工工程と、ＡＲコ−ト再加工工程が付加されるため、製造コストが増加するという問題があった。
【００２４】
【課題を解決するための手段】
かかる課題を解決するために、請求項１にかかる発明は、外形が六面体状の誘電体多層膜フィルタ素子であって、誘電体多層膜が設けられた第一端面およびこれに平行な第二端面が、光軸の方向に対して所定の角度傾斜していることを特徴とする誘電体多層膜フィルタ素子である。
【００２５】
請求項２にかかる発明は、請求項１記載の誘電体多層膜フィルタ素子において、誘電体多層膜が形成された第一端面に対向する第二端面に、反射防止コートが施されたことを特徴とする誘電体多層膜フィルタ素子である。
【００２６】
請求項３にかかる発明は、誘電体多層膜フィルタ素子の製造方法において、誘電体多層膜を形成したフィルタ基板を切断方向に対して所定の角度傾斜させて切断することを特徴とする誘電体多層膜フィルタ素子の製造方法である。
【００２７】
請求項４にかかる発明は、請求項１または、請求項２の誘電体多層膜フィルタ素子と、一対のコリメ−タレンズおよび光ファイバ保持部材とを備えた光部品であって、前記一対のコリメ−タレンズの間に前記誘電体多層膜フィルタが狭持されたことを特徴とする光部品である。
【００２８】
請求項５にかかる発明は、請求項４記載の光部品において、誘電体多層膜フィルタといずれか一方のコリメ−タレンズの間に、光学素子が狭持されたことを特徴とする光部品である。
【００２９】
【発明の実施の形態】
以下に本発明を詳しく説明する。図１および図２にフィルタ素子の例を示す。図２は、図１の断面を示したものである。図１および図２における符号４ａ〜４ｆの説明は、前記図１２において示したものと同様である。図２の符号４ｈは、光軸に平行な下底面、４ｇは光軸に平行な上底面である。また、ｔはフィルタ素子４の厚さであり、ｌはフィルタ素子４の幅である。θ１は、入射光線の入射角であり、θ２はフィルタ素子４の傾斜角である。
【００３０】
この例のフィルタ素子４は、図１に示すように外形が六面体状であって、そのひとつの端面（第一端面）４ｃには、誘電体多層膜４ｂが形成されている。また、この第一端面４ｃと、これに対向する第二端面４ｄとは平行になっており、これ以外の四面は断面形状が方形の角柱を構成するようになっている。
【００３１】
また、図１に示すように、誘電体多層膜が形成された第一端面４ｃは、このフィルタ素子の光軸４ｆに対して傾斜している。この傾斜角θ２は、たとえば、１°〜２０°とされる。但し、図１と図２においては、理解を助けるため、この角度を強調して描いてある。
【００３２】
また、図２において、直線Ａ−Ａは、第一端面４ｃに垂直であり、直線Ａ−Ａと入射光線（すなわち光軸の方向）のなす角度θ１は入射光線の入射角度である。また、直線Ｂ−Ｂは、フィルタ素子の上下底面４ｇ、４ｆに垂直であり、直線Ｂ−Ｂと第一端面４ｃのなす角度がフィルタ素子の傾斜角θ２である。入射方向は、光軸４ｆに沿った方向であり、フィルタ素子の上下底面４ｇ、４ｆに平行であるため、θ１とθ２は等しい。
【００３３】
次に、本発明にかかるフィルタ素子の製法について説明する。図３はフィルタ素子の作成手順の例を示したものである。図３において、符号１１は上底面と下底面が平行であるフィルタ基板、符号１２はＡＲコ−ト、符号１３は誘電体多層膜、符号１４はフィルタ基板を固定する傾斜した台座、符号１５はフィルタ素子である。本発明によるフィルタ素子の製造工程は以下に示すものである。
【００３４】
工程１：誘電体多層膜形成時に膜形成状況をモニタする必要からフィルタ基板１１の一方の面にＡＲコート１２を施す。基板サイズは例えば、外径１００ｍｍ、２ｍｍ厚である。
工程２：フィルタ基板１１の他方の面に誘電体多層膜フィルタ１３を蒸着等の手法で形成する。
【００３５】
工程３：フィルタ基板１１を、水平面と、これに対向して所定の角度に傾斜した面とを有する切断用の台座１４の傾斜面に接着剤等で固定する。
工程４：フィルタ基板１１を固定した台座１４の水平面を図示しない切断装置に装着する。切断装置は、円板形砥石を回転させ、これを試料に当てて研削し切断する方法をとるものが一般的であるが、前記台座１４の水平面に研削方向が垂直となるように、台座１４を切断装置に取付ける。こうすることにより、切断されるフィルタ基板の切断面はそれぞれ平行でありかつ、フィルタ基板の上下底面に対して傾斜する。フィルタ基板１１を、賽の目状に切断することによりフィルタ素子１５が得られる。
【００３６】
このようにして作製されたフィルタ素子１５は、図１に示すように光軸に対して傾斜し、互いに平行な２面と、光軸に平行で、かつ互いに平行な４面からなる六面体の形状を有する。切断されたフィルタ素子の大きさは、例えば、１．３ｍｍ角である。
【００３７】
図３の製造工程において示したように、本発明にかかるフィルタ素子ではウェッジ化工程が不要となり、前記の従来方法と比較して５つの工程（加工が容易なサイズに切断する工程、ウェッジ化のために台座にフィルタ基板を固定する工程、ウェッジ化の工程、フィルタ基板を取外す工程、ウェッジ化後の再ＡＲコートエ程）を減らすことが出来る。すなわち、従来方法よりも大幅にコストを下げることが出来る。
【００３８】
次に、かかるフィルタ素子を用いたＧＦＦについて説明する。図４は、かかるフィルタ素子を用いたＧＦＦの例を示したものである。図４（ａ）は平面図であり、図４（ｂ）は側面図である。また、入射側、出射側の光線追跡図を図５に示す。
【００３９】
図４（ａ）、（ｂ）および図５における符号１〜８の説明は、前記図１１において示したものと同様である。本発明の構造では、第一のコリメータレンズ３から出射した光線は、光軸４ｆに沿って、フィルタ素子４の上下底面４ｇ、４ｈに平行に誘電体多層膜フィルタ４ｂに入射するが、フィルタ面である第一端面４ｃは入射光線に対して傾斜しているため、フィルタ面での反射光は第一のコリメ−タレンズ３の入射方向とは異なった角度に反射され、第一のファイバ１に集光されることはない。従って、反射減衰量が劣化することはない。
【００４０】
また、フィルタ素子４を通過した１次透過光と２次透過光が平行になるにもかかわらず、２次透過光の強度は第二端面４ｄに設けられたＡＲコート４ｅで十分に減衰される。また、２次以降の高次透過光は、１次透過光とは異なる位置に出射されるため、第二のコリメ−タレンズ５に結合する高次透過光は十分に少なくなり、１次透過光と２次以降の高次透過光との間で起きる干渉は無視できるほど小さくなる。従って、一次透過光と２次以降の高次透過光との干渉によって生ずるリップルはほとんど生じない。
【００４１】
また、図１１（ｂ）の従来のものの構造と図４（ｂ）の本発明での構造を比較すればわかるように、本発明にあっては、フィルタ素子に対して、第一及び第二のコリメ−タレンズを傾ける必要がなく、ほぼ直線上に配置できるので、各光学素子間の光軸合わせが容易であり、しかも、筐体を小型化することができる。
【００４２】
ここで、本発明にかかるフィルタ素子４への入射角度θ１と２次透過光の第二のコリメ−タレンズへの結合効率の関係を計算した例を図６示す。レンズには市販の「セルフォック」レンズを用い、フィルタ素子４への入射光のビーム径（入射平行光束の直径）は４００μｍ、第二端面上のＡＲコートの反射減衰量は−３０ｄＢである。曲線ａは、フィルタ素子厚さｔが１ｍｍ、曲線ｂはｔが２ｍｍにおける計算結果を示す。
【００４３】
図６より、結合効率を−３５ｄＢ以下に低減するためには、フィルタ素子の厚さｔが２ｍｍの場合は８°以上、フィルタ素子の厚さ１ｍｍの場合は１６°以上の入射角度が必要であることが分かる。
【００４４】
ただし、一般的に入射角θ１を大きくすると、偏波依存性損失（Ｐｏｌａｒｉｚａｔｉｏｎ  ｄｅｐｅｎｄｅｎｔ  ｌｏｓｓ、以下「ＰＤＬ」と略す。）の値が大きくなってしまうので、入射角θ１（すなわち傾斜角θ２）を大きくするよりはフィルタ素子の厚みｔを大きくする方が良い。
【００４５】
また、上記のＰＤＬの問題を解決するには、フィルタ素子４に入射するビーム径が１４０μｍ程度の石英ロッドレンズをコリメータレンズとして使用するのが良い。ここでビ−ム径が１４０μｍ、フィルタ素子の厚さｔが２ｍｍ、ＡＲコート４ｅの反射減衰量が−３０ｄＢの場合の、入射角度θ１と２次透過光の受光素子への結合効率の関係を図７に示す。
【００４６】
図７において、曲線ｃはフィルタ素子の厚さｔが１ｍｍ、曲線ｄは、厚さｔが２ｍｍの場合の計算結果を示している。図７より、結合効率を−３５ｄＢ以下に低減するためには、素子の厚さｔが２ｍｍの場合は４．２°以上、チップ厚さｔが１ｍｍの場合は８．２°以上の入射角度θ１が必要であることが分かる。
【００４７】
このように、石英ロッドレンズをコリメータレンズとして用いることによりＧＦＦ全体の大きさをさらに小さく出来るので、光増幅器に収納するときの自由度を増やすことができる。なお、ビーム径が４００μｍのコリメータを用いた場合の一般的な光部品の大きさは外径５．５ｍｍ×長さ４０ｍｍであるのに対し、ビーム径が１４０μｍの石英ロッドレンズを用いた場合は外径２．５ｍｍ×長さ２５ｍｍと体積で八分の一にできる。またこれまで、ビ−ム径１４０μｍ、４００μｍのものについて説明してきたが、これ以外のビ−ム径のものでも、フィルタ素子の傾斜角度θ２を適切な角度にすることで同等な効果が得られる。
【００４８】
次に本発明にかかるＧＦＦの具体例を示す。図８および図９は、試作したＧＦＦの特性の一例を示したものである。試作したＧＦＦの構造は、図４に示したものであり、フィルタ素子の構造は、図１に示したものである。フィルタ素子の厚さｔは１ｍｍ〜１．４ｍｍ、幅ｌは０．５ｍｍ〜２ｍｍである。また、フィルタ素子の傾斜角度は２．５°〜４°である。使用したフィルタ素子は、第一端面に誘電体多層膜が施され、第二端面にＡＲコ−トが施されている。また、コリメ−タレンズは、石英ロッドレンズであり、レンズ外径は４００μｍ、ビ−ム径は１４０μｍである。
【００４９】
図８において、曲線ｅは、ＥＤＦの利得特性を平坦化するための目標損失特性であり、曲線ｆは試作したＧＦＦの損失特性である。ＧＦＦの損失特性は、目標損失特性に対して良く適合していることがわかる。図９の曲線ｇは、ＧＦＦの利得残差（曲線ｅと曲線ｆの差）を示したものであり、エルビウムド−プ光ファイバの利得波長依存性は、十分に平滑化され、利得残差は０．２１ｄＢという優れた値を示している。さらに、リップルの振幅は０．０１ｄＢ以下であり、本発明によるフィルタ素子により、十分にリップルが低減されていることがわかる。
【００５０】
また、図１０に示すように、フィルタ素子４と第二のコリメ−タレンズ５の中間に、アイソレ−タ素子や別の機能を有する誘電体多層膜フィルタ素子等の光学素子を挿入することにより、機能を追加した複合型光部品を構成することができる。
【００５１】
【発明の効果】
以上説明したように、請求項１の誘電体多層膜フィルタ素子は、第一端面が傾斜していることにより入射方向への戻り光を低減し、第二端面が第一端面に平行であり同様に傾斜していることにより、素子内部での多重反射によるリップルを低減したものである。また、請求項２の誘電体多層膜フィルタ素子では、第二端面にＡＲコ−トを施すことにより、さらにリップル低減効果を高めたものである。請求項３のフィルタ素子製造方法は、フィルタ基板切断時に、切断方向に対して所定の角度傾斜した台座にフィルタ基板を固定して切断することにより、楔型フィルタ素子に比較して、大幅に工程数を削減したものである。請求項４の光部品は、請求項１または２のフィルタ素子の前後に入射側および出射側のコリメ−タレンズを配置した構造を有する光学部品であり、前記フィルタ素子を用いているため、光学部品を直線上に配置できるので、小型化が可能であり、またリップルも低減できる。請求項５の光学部品は、請求項４の光学部品においては、誘電体多層膜フィルタと第二のコリメ−タレンズの間にアイソレ−タ等の光学素子を挿入し、さらに機能を拡張したものである。
【図面の簡単な説明】
【図１】本発明の誘電体多層膜フィルタ素子の例を示す斜視図である。
【図２】図１に示した誘電体多層膜フィルタ素子の断面を示す図である。
【図３】本発明の誘電体多層膜フィルタ素子の製造工程の例を示す図である。
【図４】本発明の誘電体多層膜フィルタ素子型光部品の例を示す概略構成図である。
【図５】本発明の誘電体多層膜フィルタ素子型光部品の光線追跡を示す図である。
【図６】本発明による誘電体多層膜フィルタ素子における光線の入射角度と第二のコリメ−タレンズへの結合効率の関係を示す図表である。
【図７】本発明による誘電体多層膜フィルタ素子における光線の入射角度と第二のコリメ−タレンズへの結合効率の関係を示す図表である。
【図８】本発明によるＧＦＦの損失特性と、平坦化すべきＥＤＦの利得特性から算出した目標損失特性を示した図表である。
【図９】本発明によるＧＦＦの利得残差を示す図表である。
【図１０】本発明による複合型光部品の例を示す概略構成図である。
【図１１】従来例における誘電体多層膜フィルタ素子の例を示す斜視図である。
【図１２】従来例における誘電体多層膜フィルタ素子型光部品の例を示す概略構成図である。
【符号の説明】
１・・・第一の光ファイバ、２・・・第一の光ファイバ保持部材、３・・・第一のコリメ−タレンズ、４・・・フィルタ素子、４ｂ・・・誘電体多層膜、４ｃ・・・第一端面、４ｄ・・・第二端面、４ｅ・・・ＡＲコ−ト、５・・・第二のコリメ−タレンズ、６・・・第二の光ファイバ保持部材、７・・・第二の光ファイバ、８・・・筐体、９・・・光学素子
【図１】
2004252148.tif 000003
【図２】
2004252148.tif 000004
【図３】
2004252148.tif 000005
【図４】
2004252148.tif 000006
【図５】
2004252148.tif 000007
【図６】
2004252148.tif 000008
【図７】
2004252148.tif 000009
【図８】
2004252148.tif 000010
【図９】
2004252148.tif 000011
【図１０】
2004252148.tif 000012
【図１１】
2004252148.tif 000013
【図１２】
2004252148.tif 000014